(57)【要約】【課題】よりシンプルな構造を有する前掛けを提供する。【解決手段】前掛け１は、テーブルナプキンとして使用可能である。前掛け１は、第１開口６Ａ及び第２開口６Ｂを有するハウジング６を備えるシート状の本体２と、ハウジング６内に収容され本体２に固定される第１端部１０Ａと、第１開口６Ａからハウジング６の外側に突出する第２端部４Ａとを有する第１紐８Ａと、ハウジング６内に収容され本体２に固定される第３端部１０Ｂと、第２開口６Ｂからハウジング６の外側に突出する第４端部４Ｂとを有する第２紐８Ｂとを備える。第１紐８Ａは、第４端部４Ｂが通過可能な孔３を有している。第４端部４Ｂは、第４端部４Ｂが孔３を通過した状態で孔３から抜けることを抑制するように構成されたフラップ７Ｂを有する。フラップ７Ｂは、第２紐８Ｂを構成する紐材が少なくとも２重に重なることによって形成される。【選択図】図２
2020070515.tif 000002
【特許請求の範囲】
【請求項１】
テーブルナプキンとして使用可能な前掛けであって、
第１開口及び第２開口を有するハウジングを備えるシート状の本体と、
前記ハウジング内に収容され前記本体に固定される第１端部と、前記第１開口から前記ハウジングの外側に突出する第２端部とを有する第１紐と、
前記ハウジング内に収容され前記本体に固定される第３端部と、前記第２開口から前記ハウジングの外側に突出する第４端部とを有する第２紐と、
を備え、
前記第１紐は、前記第４端部が通過可能な孔を有しており、
前記第４端部は、前記第４端部が前記孔を通過した状態で前記孔から抜けることを抑制するように構成されたフラップを有し、
前記フラップは、前記第２紐を構成する紐材が少なくとも２重に重なることによって形成される、前掛け。
【請求項２】
前記第１紐は、前記第１紐を構成する紐材が少なくとも２重に重なった部分に前記孔を有する、請求項１に記載の前掛け。
【請求項３】
前記第１紐は、前記孔の周囲に設けられた補強部を有する、請求項１又は２に記載の前掛け。
【請求項４】
前記フラップは、前記第４端部が前記第２開口から前記ハウジング内に引き込まれることを抑制するように更に構成される、請求項１〜３のいずれか一項に記載の前掛け。
【請求項５】
前記第２紐は、テープ形状を呈しており、
前記フラップは、前記第２紐の主面と鋭角をなす方向に突出している、請求項１〜４のいずれか一項に記載の前掛け。
【請求項６】
前記本体は、前記第１開口の隣に設けられた第１マークと、前記第２開口の隣に設けられた第２マークと、を有する、請求項１〜５のいずれか一項に記載の前掛け。
【発明の詳細な説明】
【技術分野】
【０００１】
本発明の一側面は、前掛けに関する。
【背景技術】
【０００２】
テーブルナプキンとして使用可能な前掛けが知られている（特許文献１参照）。この前掛けは、本体と、ハウジング内に部分的に収容された２本の紐とを備えている。第１紐の一端は、ハウジングに設けられた第１開口からハウジングの外側に突出しており、第１紐の他端は、本体に固定されている。第２紐の一端は、ハウジングに設けられた第２開口からハウジングの外側に突出しており、第２紐の他端は、本体に固定されている。
【０００３】
各紐の一端を引っ張ってユーザの首に紐を巻き付け、例えばボタン、留め具、面ファスナー、かぎ留め等により各紐の一端同士を接続することによって、ユーザは前掛けを装着できる。
【先行技術文献】
【特許文献】
【０００４】
【特許文献１】米国特許出願公開第２０１７／０２５１８４３号明細書
【発明の概要】
【発明が解決しようとする課題】
【０００５】
上述のような接続部品を用いる場合、例えば産業洗濯において接続部品が紐から外れたり、産業洗濯機が損傷したりするおそれがある。また、接続部品自体が破壊されたり、錆びたり、接続性が低下したりするおそれもある。
【０００６】
本発明の一側面は、よりシンプルな構造を有する前掛けを提供することを目的とする。
【課題を解決するための手段】
【０００７】
本発明の一側面に係る前掛けは、テーブルナプキンとして使用可能な前掛けであって、第１開口及び第２開口を有するハウジングを備えるシート状の本体と、前記ハウジング内に収容され前記本体に固定される第１端部と、前記第１開口から前記ハウジングの外側に突出する第２端部とを有する第１紐と、前記ハウジング内に収容され前記本体に固定される第３端部と、前記第２開口から前記ハウジングの外側に突出する第４端部とを有する第２紐と、を備え、前記第１紐は、前記第４端部が通過可能な孔を有しており、前記第４端部は、前記第４端部が前記孔を通過した状態で前記孔から抜けることを抑制するように構成されたフラップを有し、前記フラップは、前記第２紐を構成する紐材が少なくとも２重に重なることによって形成される。
【０００８】
上記前掛けでは、第２端部及び第４端部を引っ張って、ユーザの体（例えば首）に第１紐及び第２紐を巻き付ける。この状態で第４端部を孔に通過させることにより、簡単に前掛けをユーザに装着できる。また、第４端部がフラップを有しているので、ユーザが前掛けを装着した状態で第１紐及び第２紐が引っ張られても前掛けが外れ難い。さらに、フラップを潰しながら第４端部を孔に押し込むことによって、簡単に第４端部を孔から抜くことができる。また、フラップが、第２紐を構成する紐材が少なくとも２重に重なることによって形成されるので、他の接続部品を用いる必要がない。したがって、よりシンプルな構造を有する前掛けが得られる。
【０００９】
前記第１紐は、前記第１紐を構成する紐材が少なくとも２重に重なった部分に前記孔を有してもよい。この場合、１つの紐材の部分に孔を形成する場合に比べて孔の周囲の強度が向上するので、外力が加わっても孔が壊れ難い。
【００１０】
前記第１紐は、前記孔の周囲に設けられた補強部を有してもよい。この場合、孔の周囲の強度が向上するので、外力が加わっても孔が壊れ難い。
【００１１】
前記フラップは、前記第４端部が前記第２開口から前記ハウジング内に引き込まれることを抑制するように更に構成されてもよい。この場合、第２紐の一部をハウジング内に収容する時に、第４端部までハウジング内に引き込まれることを抑制できる。
【００１２】
前記第２紐は、テープ形状を呈しており、前記フラップは、前記第２紐の主面と鋭角をなす方向に突出してもよい。この場合、フラップが抜け止めとしてより有効に機能する。
【００１３】
前記本体は、前記第１開口の隣に設けられた第１マークと、前記第２開口の隣に設けられた第２マークと、を有してもよい。この場合、ユーザが第１マーク及び第２マークを把持して引っ張ることにより、ハウジングを把持する場合に比べて、シート状の本体を簡単に引き延ばすことができる。これは、ハウジングを把持すると、第１紐及び第２紐も把持されるため、第１紐及び第２紐に対してハウジングを移動させ難いからである。
【００１４】
本発明の他の一側面に係る前掛けは、テーブルナプキンとして使用可能な前掛けであって、第１開口及び第２開口を有するハウジングを備えるシート状の本体と、前記ハウジング内に部分的に収容される紐と、を備え、前記紐は、前記第１開口及び前記第２開口のそれぞれから前記ハウジングの外側に突出する両端部を有し、前記本体は、前記第１開口の隣に設けられた第１マークと、前記第２開口の隣に設けられた第２マークとを有する。
【００１５】
上記前掛けでは、ユーザが第１マーク及び第２マークを把持して引っ張ることにより、ハウジングを把持する場合に比べて、シート状の本体を簡単に引き延ばすことができる。
【００１６】
本発明の他の一側面に係る前掛けは、テーブルナプキンとして使用可能な前掛けであって、第１開口及び第２開口を有するハウジングを備えるシート状の本体と、前記ハウジング内に収容され前記本体に固定される第１端部と、前記第１開口から前記ハウジングの外側に突出する第２端部とを有する第１紐と、前記ハウジング内に収容され前記本体に固定される第３端部と、前記第２開口から前記ハウジングの外側に突出する第４端部とを有する第２紐と、を備え、前記第４端部は、前記第４端部が前記第２開口から前記ハウジング内に引き込まれることを抑制するように構成されたフラップを有する。
【００１７】
上記前掛けでは、第２紐の一部をハウジング内に収容する時に、第４端部までハウジング内に引き込まれることを抑制できる。
【発明の効果】
【００１８】
本発明の一側面によれば、よりシンプルな構造を有する前掛けが提供され得る。
【図面の簡単な説明】
【００１９】
【図１】一実施形態に係る前掛けを示す斜視図である。
【図２】第１紐及び第２紐が引っ張られて第１紐と第２紐とが接続された状態の前掛けを示す斜視図である。
【図３】ユーザに装着された前掛けを模式的に示す斜視図である。
【図４】第１紐及び第２紐を示す平面図である。
【図５】第１紐及び第２紐を示す上面図である。
【図６】互いに接続された第１紐及び第２紐を示す斜視図である。
【図７】分解された前掛けを示す図である。
【図８】分解された前掛けを示す図である。
【図９】第１変形例に係る前掛けを示す斜視図である。
【図１０】第２変形例に係る前掛けを示す斜視図である。
【図１１】第３変形例に係る前掛けを示す斜視図である。
【図１２】第４変形例に係る前掛けを示す斜視図である。
【図１３】第５変形例に係る前掛けを示す斜視図である。
【図１４】２つの前掛けを組み合わせて得られる袋を示す斜視図である。
【図１５】図１４の袋を示す斜視図である。
【図１６】第６変形例に係る前掛けを示す斜視図である。
【図１７】第６変形例に係る前掛けを示す斜視図である。
【図１８】第７変形例に係る前掛けを示す斜視図である。
【図１９】第７変形例に係る前掛けを示す斜視図である。
【図２０】前掛けから得られる旗を示す斜視図である。
【図２１】前掛けから得られる旗を示す斜視図である。
【図２２】前掛けに用いられる離脱装置を示す図である。
【発明を実施するための形態】
【００２０】
以下、添付図面を参照しながら本発明の実施形態が詳細に説明される。図面の説明において、同一又は同等の要素には同一符号が用いられ、重複する説明は省略される。
【００２１】
図１〜図８を参照して一実施形態に係る前掛けについて説明する。図１は、一実施形態に係る前掛けを示す斜視図である。図２は、第１紐及び第２紐が引っ張られて第１紐と第２紐とが接続された状態の前掛けを示す斜視図である。図３は、ユーザに装着された前掛けを模式的に示す斜視図である。図４は、第１紐及び第２紐を示す平面図である。図５は、第１紐及び第２紐を示す上面図である。図６は、互いに接続された第１紐及び第２紐を示す斜視図である。図７及び図８は、分解された前掛けを示す図である。
【００２２】
図１〜図３に示される前掛け１は、例えば食事、美容サービス（例えば化粧又はヘアスタイリング等）、歯科サービス、美術等における前掛け（ビブ）又はエプロンとして使用され得る。前掛け１は、図１に示されるように、広げた状態でテーブルナプキンとして使用可能である。前掛け１は、例えば旗、バナー、ハンカチ、ネッカチーフ、バンダナ、弁当箱包み、風呂敷、敷物等としても使用可能である。前掛け１は、例えば家族の食事、結婚式、パーティー等の記念品として有用である。また、異なる種類の画像又はロゴ等を有する前掛け１を収集できるように、前掛け１を収集品としてもよい。図３に示されるように、前掛け１は、ユーザＵの一部及びユーザＵの衣服の少なくとも一方上に広がる。前掛け１は、例えばユーザＵの首から下の胴体又は腰から下の胴体を覆う。
【００２３】
前掛け１は、シート状の本体２と、第１紐８Ａと、第２紐８Ｂとを備える。本体２は、例えば矩形状を呈する。本体２は、第１開口６Ａ及び第２開口６Ｂを有するハウジング６を備える。ハウジング６は、本体２の縁に設けられ得る。ハウジング６は、例えば第１開口６Ａを一方の開口端、第２開口６Ｂを他方の開口端とする管形状を呈する。ハウジング６は、第１開口６Ａ及び第２開口６Ｂ以外の開口を有していない閉鎖型であってもよいし、その他の開口を有する開放型であってもよい。例えば、ハウジング６は、本体２の縁に沿って配列された一連の輪を有してもよい。ハウジング６は、図８に示されるように本体２の縁部を折り返すことによって形成されてもよいし、本体２のうちハウジング６以外の部分とは別の部材によりハウジング６を構成してもよい。ハウジング６内には、互いにすれ違う第１紐８Ａ及び第２紐８Ｂが部分的に収容され得る。ハウジング６は、第１紐８Ａ及び第２紐８Ｂの延在方向において伸縮可能である。第１紐８Ａ及び第２紐８Ｂの延在方向において、第１紐８Ａ及び第２紐８Ｂを反対方向に引っ張ると、図２に示されるようにハウジング６が縮む。その結果、ハウジング６は、本体２の中央において束ねられることになる。ユーザＵの首の太さ及び形状に応じて、第１紐８Ａ及び第２紐８Ｂを引っ張る加減を調整することができる。また、第１紐８Ａ及び第２紐８Ｂの長さも任意に調整可能である。本実施形態では、第１紐８Ａのうち第２端部４Ａを除いた部分及び第２紐８Ｂのうち第４端部４Ｂを除いた部分の長さはハウジング６の長さよりもわずかに大きい。
【００２４】
本体２は、第１開口６Ａの隣に設けられた第１マーク９Ａと、第２開口６Ｂの隣に設けられた第２マーク９Ｂとを有してもよい。第１マーク９Ａ及び第２マーク９Ｂは、ハウジング６の隣において、ハウジング６の延在方向に沿って延びる。第１マーク９Ａ及び第２マーク９Ｂのそれぞれは、例えば本体２に縫い付けられた糸である。第１マーク９Ａ及び第２マーク９Ｂのそれぞれの色（例えば赤色）は、視認性の向上のため、本体２のうち第１マーク９Ａ及び第２マーク９Ｂを除いた部分の色（例えば白色）と異なってもよい。第１マーク９Ａ及び第２マーク９Ｂを指で把持しながら引っ張ることによって、ハウジング６を伸ばすことができる。その結果、第１紐８Ａ及び第２紐８Ｂの大部分がハウジング６内に収容されるので、図１の状態の前掛け１が得られる。
【００２５】
本体２は、例えば、コットン、オーガニックコットン、ポリエステル、難燃性ポリエステル、シルク、シルク混、リネン、ナイロン、耐水性の布、汚れにくい布、キルティング繊維、麻、又はこれらの適切な組み合わせ等の素材から構成され得る。この場合、美的外観が得られると共に、繰り返しの使用に耐えられる。よって、必要に応じて前掛け１を洗濯又は再利用できる。本体２の縁には、より美しい外観のために、例えば、ほつれ、フリル、プリーツ、刺繍、ブランケットステッチ等の加工が加えられてもよい。再利用が不要の場合、本体２は、例えばプラスチック、紙、合成紙等の素材から構成されてもよい。この場合、廃棄又はリサイクルが簡単であり、安価に本体２を製造できる。
【００２６】
本体２は、例えばデザイン、ロゴ等の装飾を有してもよい。装飾には、企業、販促、大学、スポーツロゴ（NFL、MLB、Nascar、NHRA、NBA、NHL、その他のスポーツブランド、オリンピック、ワールドサッカーなど）、アニメキャラクター、ホリデイのテーマ及びメッセージ、又は個人用のデザインが含まれる。このような装飾は、刺繍、カスタム刺繍、継ぎあて、エンボス又は浮き彫りデザイン、ステッチ、仮縫い、アップリケ、詰め物の付属、印刷、シルクスクリーニング、フォトステッチ、二次または三次元デザイン、アイロン接着タイプの飾り、及びこれら同様の当技術分野で周知される技術を用い固定することができる。ビーズ又は宝石を組み込んだデザインも使用できる。
【００２７】
第１紐８Ａ及び第２紐８Ｂは、例えば、天然繊維、合成繊維、プラスチック（例えばポリエステル）、シルク、両面シルク、サテン、両面サテン、ロープ、コットン、麻、ポリエステル、ゴム、伸縮性素材、又はこれらの適切な組み合わせ等の素材から構成され得る。第１紐８Ａ及び第２紐８Ｂは、例えばテープ形状を呈する。第１紐８Ａ及び第２紐８Ｂは、例えば幅３／８インチ（９．５ｍｍ）のグログランの細長いリボンである。
【００２８】
第１紐８Ａは、ハウジング６内に収容され本体２に固定される第１端部１０Ａ（図７及び図８参照）と、第１開口６Ａからハウジング６の外側に突出する第２端部４Ａとを有する。例えば矩形状の本体２の一つの縁において、当該縁の一端に第１開口６Ａが位置しており、他端に第１端部１０Ａが縫い付けられる。第２紐８Ｂは、ハウジング６内に収容され本体２に固定される第３端部１０Ｂと、第２開口６Ｂからハウジング６の外側に突出する第４端部４Ｂとを有する。例えば矩形状の本体２の上記縁の一端に第２開口６Ｂが位置しており、他端に第３端部１０Ｂが縫い付けられる。
【００２９】
第２端部４Ａは、第２端部４Ａが第１開口６Ａからハウジング６内に引き込まれることを抑制するように構成されたフラップ７Ａを有してもよい（図５及び図６参照）。フラップ７Ａは、第１紐８Ａの主面と鋭角をなす方向に突出し得る。フラップ７Ａは、第１紐８Ａの２つの主面のうち一方のみに設けられ得る。フラップ７Ａは、第１紐８Ａを構成する紐材が少なくとも４重に重なることによって形成され得る。これにより、フラップ７Ａをシンプルな構造にすることができる。第２端部４Ａのうちフラップ７Ａを除く部分は、第１紐８Ａを構成する紐材が少なくとも６重に重なることによって形成され得る。フラップ７Ａの基部は、接合部５Ａにより第１紐８Ａの主面に接合される。接合部５Ａは、例えば紐材に縫い付けられた糸である。第１紐８Ａを構成する紐材の先端を渦巻き状に変形した状態で接合部５Ａを形成することによって、フラップ７Ａを有する第２端部４Ａが形成される。
【００３０】
第１紐８Ａは、第４端部４Ｂが通過可能な孔３を有している。前掛け１がテーブルナプキンとして使用される状態（ハウジング６が広がっている状態）において、孔３は、ハウジング６内に位置しているため、ハウジング６によって隠されている（図１参照）。孔３の縁は、例えば接合部５Ａから約１．５インチ（約３．８ｃｍ）の距離に位置し得る。この場合、ユーザＵの平均的な頭を通って首の周りで調整し易い。ただし、子供から大きな大人までの種々のサイズについて、孔３の位置を調整し、サイズの異なる前掛け１を製造してもよい。第１紐８Ａは、第１紐８Ａを構成する紐材が例えば少なくとも２重に重なった部分に孔３を有する。２重であると、重なった部分が平坦になるので、第１紐８Ａがハウジング６内をスムーズに移動できる。重なった部分は、第１紐８Ａを構成する紐材の先端を折り返して、紐材同士を接合部５Ｃにより接合することによって形成される。重なった部分の長さは、例えば約４インチ（約１０．２ｃｍ）である。接合部５Ｃは、例えば紐材に縫い付けられた糸である。孔３は、接合部５Ａと接合部５Ｃとの間に位置する。第１紐８Ａは、孔３の周囲に設けられた補強部３Ａ（図４参照）を有してもよい。補強部３Ａは、例えば紐材に縫い付けられた糸である。補強部３Ａの色（例えば赤色）は、孔３の視認性向上のため、第１紐８Ａのうち補強部３Ａを除いた部分の色（例えば白色）と異なってもよい。補強部３Ａは、紐材同士を接合する接合部としても機能する。本実施形態では、接合部５Ａと補強部３Ａとの間において紐材同士は接合されていない。同様に、補強部３Ａと接合部５Ｃとの間においても紐材同士は接合されていない。
【００３１】
第４端部４Ｂは、第４端部４Ｂが孔３を通過した状態で孔３から抜けることを抑制するように構成されたフラップ７Ｂを有する。フラップ７Ｂは、第４端部４Ｂが第２開口６Ｂからハウジング６内に引き込まれることを抑制するように構成され得る。フラップ７Ｂは、第２紐８Ｂの主面と鋭角をなす方向に突出し得る。フラップ７Ｂは、第２紐８Ｂの２つの主面のうち一方のみに設けられ得る。フラップ７Ｂは、第２紐８Ｂを構成する紐材が少なくとも２重又は少なくとも３重に重なることによって形成され得る。これにより、フラップ７Ｂをシンプルな構造にすることができる。第４端部４Ｂのうちフラップ７Ｂを除く部分は、第２紐８Ｂを構成する紐材が少なくとも５重に重なることによって形成され得る。フラップ７Ｂの基部は、接合部５Ｂにより第２紐８Ｂの主面に接合される。接合部５Ｂは、例えば紐材に縫い付けられた糸である。第２紐８Ｂを構成する紐材の先端を渦巻き状に変形した状態で接合部５Ｂを形成することによって、フラップ７Ｂを有する第４端部４Ｂが形成される。
【００３２】
本実施形態の前掛け１では、第２端部４Ａ及び第４端部４Ｂを引っ張って、ユーザＵの体（例えば首）に第１紐８Ａ及び第２紐８Ｂを巻き付ける。この状態で、図２及び図６に示されるように第４端部４Ｂを孔３に通過させることにより、簡単に前掛け１をユーザＵに装着できる。また、第４端部４Ｂがフラップ７Ｂを有しているので、ユーザＵが前掛け１を装着した状態で第１紐８Ａ及び第２紐８Ｂが引っ張られても前掛け１が外れ難い。さらに、フラップ７Ｂを潰しながら第４端部４Ｂを孔３に押し込むことによって、簡単に第４端部４Ｂを孔３から抜くことができる。よって、洗濯が必要になるまで、ハウジング６が縮んだ状態でユーザＵは前掛け１を容易に着脱できる。また、フラップ７Ｂが、第２紐８Ｂを構成する紐材が少なくとも２重に重なることによって形成されるので、他の接続部品を用いる必要がない。したがって、よりシンプルな構造を有する前掛け１が得られる。そのため、例えば産業洗濯等の洗濯においても前掛け１及び洗濯機の損傷を抑制できる。また、所定の値以上の力によって第１紐８Ａ及び第２紐８Ｂが引っ張られると第４端部４Ｂが孔３から抜けるように、前掛け１が設計されてもよい。
【００３３】
第１紐８Ａが、第１紐８Ａを構成する紐材が少なくとも２重に重なった部分に孔３を有する場合、１つの紐材の部分に孔３を形成する場合に比べて孔３の周囲の強度が向上するので、外力が加わっても孔３が壊れ難い。
【００３４】
第１紐８Ａが、孔３の周囲に設けられた補強部３Ａを有する場合、孔３の周囲の強度が向上するので、外力が加わっても孔３が壊れ難い。
【００３５】
フラップ７Ｂは、第４端部４Ｂが第２開口６Ｂからハウジング６内に引き込まれることを抑制するように更に構成されてもよい。この場合、例えば第１マーク９Ａ及び第２マーク９Ｂを指で把持しながら引っ張ることによって第２紐８Ｂの一部をハウジング６内に収容する時に、第４端部４Ｂまでハウジング６内に引き込まれることを抑制できる。
【００３６】
フラップ７Ｂは、第２紐８Ｂの主面と鋭角をなす方向に突出してもよい。この場合、フラップ７Ｂが抜け止めとしてより有効に機能する。
【００３７】
本体２が第１マーク９Ａ及び第２マーク９Ｂを有する場合、ユーザＵが第１マーク９Ａ及び第２マーク９Ｂを把持して引っ張ることにより、ハウジング６を把持する場合に比べて、シート状の本体２を簡単に引き延ばすことができる。これは、ハウジング６を把持すると、第１紐８Ａ及び第２紐８Ｂも把持されるため、第１紐８Ａ及び第２紐８Ｂに対してハウジング６を移動させ難いからである。第１マーク９Ａ及び第２マーク９Ｂによって、ユーザＵが把持すべき位置を容易に理解できる。さらに、産業洗濯又はマーケティングにおいて、第１マーク９Ａ及び第２マーク９Ｂを有していない前掛けと前掛け１とを区別し易くなる。
【００３８】
（第１変形例）
図９は、第１変形例に係る前掛けを示す斜視図である。図９に示される前掛け１００は、本体２に代えて本体１０２を備えること以外は前掛け１と同じ構成を備える。本体１０２は、ポケット１１０を更に備えること以外は本体２と同じ構成を備える。ポケット１１０は、前掛け１００の一部又は実質的に全部を折り畳んで収容可能である（図９の（ｂ）参照）。ポケット１１０は、第１紐８Ａ及び第２紐８Ｂを折り畳む又は束ねて収容してもよい。前掛け１００によれば、保管又は携帯移動が簡単になる。ポケット１１０は、例えば矩形状の本体１０２の下隅に縫い付けられる。この場合、サイズ及び高さを小さくできる。ポケット１１０は、例えば布切れを本体２に縫い付けることによって得られる。ポケット１１０は、本体２と同じ素材で構成されてもよいし、本体２と異なる素材で構成されてもよい。例えば、ポケット１１０は、例えばスパンデックス又は伸縮性を有するナイロン等の伸縮性素材で構成されてもよい。ポケット１１０には、広げた状態の前掛け１００（図９（ａ））及び畳まれた状態の前掛け１００（図９（ｂ））のいずれにおいても視認可能な装飾が付されてもよい。装飾としては、上述した本体２の装飾と同様のものが例示される。畳まれた状態の前掛け１００（図９（ｂ））において、ポケット１１０の内側又は外側に、例えば面ファスナー、フラップ、留め金具、留め具、ジッパー、結び目、フレッシュチャック等の閉鎖装置が取り付けられてもよい。
【００３９】
（第２変形例）
図１０は、第２変形例に係る前掛けを示す斜視図である。図１０に示される前掛け２００は、本体２に代えて本体２０２を備えること以外は前掛け１と同じ構成を備える。本体２０２は、ポケット２１０を更に備えること以外は本体２と同じ構成を備える。ポケット２１０は、本体２０２の下縁中央に縫い付けられる。ポケット１１０が上方に向けて開口しているのに対して、ポケット２１０は下方に向けて開口している。本変形例では第１変形例と同様の作用効果が得られる。
【００４０】
（第３変形例）
図１１は、第３変形例に係る前掛けを示す斜視図である。図１１に示される前掛け３００は、本体２に代えて本体３０２を備えること以外は前掛け１と同じ構成を備える。本体３０２は、ポケット３１０を更に備えること以外は本体２と同じ構成を備える。ポケット３１０は、本体３０２の下隅に縫い付けられる。ポケット３１０の大きさはポケット１１０よりも大きい。本変形例では第１変形例と同様の作用効果が得られる。
【００４１】
（第４変形例）
図１２は、第４変形例に係る前掛けを示す斜視図である。図１２に示される前掛け４００は、本体２に代えて本体４０２を備えること以外は前掛け１と同じ構成を備える。本体４０２は、ポケット４１０を更に備えること以外は本体２と同じ構成を備える。ポケット４１０は、本体４０２の下縁全体と、下縁の両端から上に延在する側縁の一部とに縫い付けられる。本変形例では第１変形例と同様の作用効果が得られる。さらに、ポケット４１０は、例えばくず、液体又はごみ等の受け皿としても機能し得る。ポケット４１０は、例えば化粧品、美容商材（例えば櫛、ブラシ等）又は美術道具（例えばブラシ、チャコール、パステル、セラミック工具、彫刻工具等）等のツールを保持することもできる。また、ユーザの首から膝までの長さを有する本体４０２の下部を折り返して、例えば面ファスナー、ボタン、留め金具等の留め具を用いてユーザがポケット４１０を形成できるようにしてもよい。この場合、ユーザがポケット４１０の大きさを調整できる。
【００４２】
（第５変形例）
図１３は、第５変形例に係る前掛けを示す斜視図である。図１３に示される前掛け５００は、本体２に代えて本体５０２を備えること以外は前掛け１と同じ構成を備える。本体５０２は、ポケット５１０を更に備えること以外は本体２と同じ構成を備える。ポケット５１０は、例えばステッチ等による仕切り５２４を有すること以外はポケット４１０と同じ構成を備える。ポケット５１０内の空間は、仕切り５２４によって仕切られた第１空間５２０及び第２空間５２２を備える。よって、本変形例では第４変形例と同様の作用効果が得られる。さらに、ポケット５１０により、複数種類のツールを保持できる。
【００４３】
（前掛けを組み合わせて得られる袋）
図１４及び図１５は、２つの前掛けを組み合わせて得られる袋を示す斜視図である。図１４及び図１５に示される袋６００は、同じ構成を有する２つの前掛け６００Ａ，６００Ａを互いに縫い合わせて得られる。各前掛け６００Ａは、本体２と、第１紐６０８Ａと、第２紐６０８Ｂとを備える。各本体２の下縁及び側縁が縫い合わされており、各本体２の上縁は縫い合わされていない。第１紐６０８Ａは、孔３が形成されておらず、第２端部４Ａに代えて第２端部６０４Ａを備えること以外は第１紐８Ａと同じ構成を備える。第２端部６０４Ａは、フラップ７Ａを備えていないこと以外は第２端部４Ａと同じ構成を備える。第２端部６０４Ａ同士は縫い合わされている。第２紐６０８Ｂは、第４端部４Ｂに代えて第４端部６０４Ｂを備えること以外は第２紐８Ｂと同じ構成を備える。第４端部６０４Ｂは、フラップ７Ｂを備えていないこと以外は第４端部４Ｂと同じ構成を備える。第４端部６０４Ｂ同士は縫い合わされている。
【００４４】
２つの前掛け６００Ａ，６００Ａ同士を縫い合わせるのではなく、例えば面ファスナー、留め金具、引き抜くことができる仮止め縫いのステッチ等によって、２つの前掛け６００Ａ，６００Ａ同士が一時的に接続されてもよい。この場合、２つの前掛け６００Ａ，６００Ａを分離すれば、各前掛け６００Ａを例えば前掛け又はテーブルナプキン等として使用できる。また、袋６００及び前掛け６００Ａをリバーシブルとすることもできる。異なる色又はパターンを有する２つの前掛け６００Ａを組み合わせてもよい。
【００４５】
（第６変形例）
図１６及び図１７は、第６変形例に係る前掛けを示す斜視図である。図１６及び図１７に示される前掛け７００は、本体２と、第１紐７０８Ａと、第２紐７０８Ｂとを備える。第１紐７０８Ａは、孔３が形成されておらず、第２端部４Ａに代えて第２端部７０４Ａを備えること以外は第１紐８Ａと同じ構成を備える。第２端部７０４Ａは、フラップ７Ａを備えていないこと以外は第２端部４Ａと同じ構成を備える。第２紐７０８Ｂは、第４端部４Ｂに代えて第４端部７０４Ｂを備えること以外は第２紐８Ｂと同じ構成を備える。第４端部７０４Ｂは、フラップ７Ｂを備えていないこと以外は第４端部４Ｂと同じ構成を備える。
【００４６】
前掛け７００は、例えばトグルコードタイプの留め具７３０を更に備える。留め具７３０は、第１紐７０８Ａと第２紐７０８Ｂとを接続する。留め具７３０は、例えばスライド式の留め具、大きいビーズ、ばね入りの留め具等である。留め具７３０は、例えば布、プラスチック、木材、金属等の素材から構成され得る。
【００４７】
（第７変形例）
図１８及び図１９は、第７変形例に係る前掛けを示す斜視図である。図１８及び図１９に示される前掛け８００は、本体８０２と、紐８０８とを備える。本体８０２は、ハウジング６に代えてハウジング８０６を備えること以外は本体２と同じ構成を備える。ハウジング８０６は、ハウジング８０６の延在方向における中央に形成された開口８３５を更に有すること以外はハウジング６と同じ構成を備える。ハウジング８０６は紐８０８を部分的に収容する。紐８０８の一部は、開口８３５からハウジング８０６の外側に出て輪８４０を形成する。図１９に示されるように輪８４０を広げることによって、ユーザの頭を輪８４０の中に入れることができる。紐８０８の両方の端部８０４Ａ，８０４Ｂは、ハウジング８０６の外側に突出している。紐８０８に代えて、例えば第１紐８Ａ及び第２紐８Ｂ等の複数の紐を用いてもよい。
【００４８】
（前掛けから得られる旗）
図２０及び図２１は、前掛けから得られる旗を示す斜視図である。図２０に示される旗９００は、前掛け１と、棒９５０とを備える。棒９５０は、前掛け１のハウジング６内に部分的に収容される。棒９５０の一端は、第１開口６Ａからハウジング６の外側に突出する。棒９５０の他端は、第２開口６Ｂからハウジング６の外側に突出する。ハウジング６は、棒９５０を通すための第１空間と、第１空間とは仕切られ、第１紐８Ａ及び第２紐８Ｂを通すための第２空間とを備えてもよい。
【００４９】
図２１に示される旗１０００は、前掛け１と、棒９５０と、留め具１０００Ａ，１０００Ｂとを備える。棒９５０は、留め具１０００Ａ，１０００Ｂによってハウジング６に固定される。留め具１０００Ａ，１０００Ｂは、例えば面ファスナー、留め金具、輪、紐等である。
【００５０】
（離脱装置）
図２２は、前掛けに用いられる離脱装置を示す図である。図２２に示される離脱装置２０は、第１部材２１と、第２部材２３とを備える。第１部材２１は、例えば第２端部４Ａが通過可能な孔２１Ａを有する。第２端部４Ａのフラップ７Ａは、第２端部４Ａが孔２１Ａから抜けることを抑制する。第２部材２３は、第４端部４Ｂが通過可能な孔２３Ａを有する。第４端部４Ｂのフラップ７Ｂは、第４端部４Ｂが孔２３Ａから抜けることを抑制する。第１部材２１は、突起部２１Ｂを有する。第２部材２３は、突起部２１Ｂと係合可能な孔２３Ｂを有する。突起部２１Ｂが孔２３Ｂに係合することによって、第１部材２１と第２部材２３とが互いに接続される。
【００５１】
離脱装置２０は、必要に応じて前掛け１と組み合わせて使用され得る。前掛け１を洗濯する際には、離脱装置２０を前掛け１から容易に取り外すことができる。離脱装置２０を用いると、所定の値以上の力によって第１紐８Ａ及び第２紐８Ｂが引っ張られると、突起部２１Ｂと孔２３Ｂとの係合が解除される。離脱装置２０を用いると、例えば１２歳未満の子供の窒息を効果的に抑制できる。
【００５２】
以上、本発明の好適な実施形態について詳細に説明されたが、本発明は上記実施形態に限定されない。各変形例の構成要素同士が適宜組み合わされてもよい。
【００５３】
例えば、前掛け６００Ａ，７００に代えて前掛け１を用いて袋を作製してもよい。
【００５４】
上記実施形態及び各変形例の前掛けは、例えば腰紐、ベルト、追加の紐、追加の留め具等を更に備えてもよい。また、特別な援助を必要とするユーザのために前掛けのサイズ又は紐の長さを調整してもよい。そのようなユーザとしては、例えば特に大きい又は小さいユーザ、子供、お年寄り、障害者等が挙げられる。
【符号の説明】
【００５５】
１，１００，２００，３００，４００，５００，６００Ａ，７００，８００…前掛け、２，１０２，２０２，３０２，４０２，５０２…本体、３…孔、３Ａ…補強部、４Ａ…第２端部、４Ｂ…第４端部、６…ハウジング、６Ａ…第１開口、６Ｂ…第２開口、７Ｂ…フラップ、８Ａ…第１紐、８Ｂ…第２紐、９Ａ…第１マーク、９Ｂ…第２マーク、１０Ａ…第１端部、１０Ｂ…第３端部。
【図１】
2020070515.tif 000003
【図２】
2020070515.tif 000004
【図３】
2020070515.tif 000005
【図４】
2020070515.tif 000006
【図５】
2020070515.tif 000007
【図６】
2020070515.tif 000008
【図７】
2020070515.tif 000009
【図８】
2020070515.tif 000010
【図９】
2020070515.tif 000011
【図１０】
2020070515.tif 000012
【図１１】
2020070515.tif 000013
【図１２】
2020070515.tif 000014
【図１３】
2020070515.tif 000015
【図１４】
2020070515.tif 000016
【図１５】
2020070515.tif 000017
【図１６】
2020070515.tif 000018
【図１７】
2020070515.tif 000019
【図１８】
2020070515.tif 000020
【図１９】
2020070515.tif 000021
【図２０】
2020070515.tif 000022
【図２１】
2020070515.tif 000023
【図２２】
2020070515.tif 000024